(57)【要約】      （修正有）【課題】十分な洗浄能力を有した便器洗浄装置と、この便器洗浄装置を備えた便器装置を提供する。【解決手段】蓄圧タンク２０の内部はダイヤフラム２３によって蓄圧室２１と吸気室２２とに区画されている。蓄圧室２１は逆止弁Ｖ２を備えた流入管１１を介して給水管１０に接続されていると共に、開閉弁Ｖ３を備えた蓄圧水放出用流路３１及びジェット用流路３２を介してリム３に接続されている。吸気室２２は連通配管３０を介して排水路５に接続されている。洗浄時、蓄圧室２１内から蓄圧水放出用流路３１を介して蓄圧水が流出すると、ダイヤフラム２３が上方に移動し、排水路５内の空気が連通配管３０を介して吸気室２２内に吸引される。【選択図】図３
2006070617.tif 000002
【特許請求の範囲】
【請求項１】
便器洗浄水を貯水する蓄圧タンクを有する便器洗浄装置において、
該蓄圧タンク内は区画手段によって便器洗浄水を貯水する蓄圧室と吸気室とに区画されており、該吸気室内及び該蓄圧室内の少なくとも一方に該区画手段を蓄圧室側に付勢する付勢手段が設けられており、
該吸気室を便器の便鉢トラップ部の２次側に連通する連通手段を備えたことを特徴とする便器洗浄装置。
【請求項２】
請求項１において、前記蓄圧室は、便器へ洗浄水を供給する給水管に逆止弁を介して接続されており、
該逆止弁は、該給水管から該蓄圧室に向かってのみ水が流れることを許容するものであることを特徴とする便器洗浄装置。
【請求項３】
請求項１又は２において、前記区画手段はダイヤフラムであることを特徴とする便器洗浄装置。
【請求項４】
便鉢及び該便鉢の下部の便鉢トラップ部を有する便器と、請求項１ないし３のいずれか１項に記載の便器洗浄装置とを備えた便器装置であって、
前記吸気室が前記連通手段を介して該便鉢トラップ部の２次側に連通されていることを特徴とする便器装置。
【請求項５】
請求項４において、前記蓄圧室が蓄圧水放出用流路を介して便器のジェット孔及びリムの少なくとも一方に蓄圧水を供給可能とされていることを特徴とする便器装置。
【請求項６】
請求項５において、前記蓄圧水放出用流路に蓄圧水放出弁が設けられていることを特徴とする便器装置。
【請求項７】
請求項４ないし６のいずれか１項において、便器排水口と前記弁鉢トラップ部の２次側との間に、該２次側が負圧となったときに排水管と該２次側とを隔絶するための第２トラップ部が設けられていることを特徴とする便器装置。
【発明の詳細な説明】
【技術分野】
【０００１】
本発明は、便器に洗浄水を供給する便器洗浄装置に係り、特にロータンクやハイタンクなどのタンクを設置せず、水道水の圧力によって洗浄水を洋風便器に供給する便器洗浄装置の改良に関する。また、本発明は、この便器洗浄装置を備えた便器装置に関する。
【背景技術】
【０００２】
従来用いられてきた洋風便器は、便器本体の後部上面にロータンクを設置し、該ロータンク内の水をリム等へ供給するロータンク式のものが多い。このロータンク式洋風便器は、ロータンクの分だけ後方に出張るところから、近年、ロータンクを省略し、水道水圧によって洗浄水を給水することにより洋風便器の後方出張りを著しく小さくした洋風便器が急速に普及しつつある。
【０００３】
このように、水道水圧によって便器に給水する場合、水道配管内に水が流れると流動抵抗が発生するため、一般に給水時の水道水圧は静水時の水道水圧より低くなる。そして、この流動抵抗は流量が多いほど大きくなることから、水道水圧によって便器に給水する場合、十分な水勢によって洗浄水を便器に供給することが困難となり、洗浄能力が低下する。この対策として、水道配管の途中に蓄圧器を設けることが特開平７−３００８９１号に記載されている。特開平７−３００８９１号公報の洋風便器設備にあっては、洋風便器はブローアウト式洋風便器であり、洋風便器に供給される洗浄水の全量が蓄圧器によって蓄圧される。
【０００４】
また、洗浄能力を向上させるための別の技術として、便鉢のトラップ部よりも下流の排水路内の空気を吸気して、サイホン現象を起こし易くすることも従来より知られている。例えば、特開平７−５４３８８号公報には、便器給水管のバイパス管に流路を絞ったスロートからなる減圧機構を設け、弾力性を有するベローズを収納したブースを減圧機構と連結し、ベローズをコネクターチューブを介して便器の排水路に連通させた構成が記載されている。
【特許文献１】特開平７−３００８９１号公報
【特許文献２】特開平７−５４３８８号公報
【発明の開示】
【発明が解決しようとする課題】
【０００５】
便器の洗浄能力を向上させるために上記特開平７−３００８９１号公報の蓄圧器及び特開平７−５４３８８号公報の吸引機構の両方を用いる場合、一方を用いる場合と比べてスペースを要すると共に、設置に手間がかかる。
【０００６】
本発明は、上記問題点を解消し、十分な洗浄能力を有した便器洗浄装置と、この便器洗浄装置を備えた便器装置を提供することを目的とする。
【課題を解決するための手段】
【０００７】
本発明（請求項１）の便器洗浄装置は、便器洗浄水を貯水する蓄圧タンクを有する便器洗浄装置において、該蓄圧タンク内は区画手段によって便器洗浄水を貯水する蓄圧室と吸気室とに区画されており、該吸気室内及び該蓄圧室内の少なくとも一方に該区画手段を蓄圧室側に付勢する付勢手段が設けられており、該吸気室を便器の便鉢トラップ部の２次側に連通する連通手段を備えたことを特徴とするものである。
【０００８】
請求項２の便器洗浄装置は、請求項１において、前記蓄圧室は、便器へ洗浄水を供給する給水管に逆止弁を介して接続されており、該逆止弁は、該給水管から該蓄圧室に向かってのみ水が流れることを許容するものであることを特徴とするものである。
【０００９】
請求項３の便器洗浄装置は、請求項１又は２において、前記区画手段はダイヤフラムであることを特徴とするものである。
【００１０】
本発明（請求項４）の便器装置は、便鉢及び該便鉢の下部の便鉢トラップ部を有する便器と、請求項１ないし３のいずれか１項に記載の便器洗浄装置とを備えた便器装置であって、前記吸気室が前記連通手段を介して該便鉢トラップ部の２次側に連通されていることを特徴とするものである。
【００１１】
請求項５の便器装置は、請求項４において、前記蓄圧室が蓄圧水放出用流路を介して便器のジェット孔及びリムの少なくとも一方に蓄圧水を供給可能とされていることを特徴とするものである。
【００１２】
請求項６の便器装置は、請求項５において、前記蓄圧水放出用流路に蓄圧水放出弁が設けられていることを特徴とするものである。
【００１３】
請求項７の便器装置は、請求項４ないし６のいずれか１項において、便器排水口と前記弁鉢トラップ部の２次側との間に、該２次側が負圧となったときに排水管と該２次側とを隔絶するための第２トラップ部が設けられていることを特徴とするものである。
【発明の効果】
【００１４】
本発明（請求項１）の便器洗浄装置及びこの便器洗浄装置を備えた便器装置（請求項４）にあっては、吸気室が連通手段を介して便鉢トラップ部の２次側と連通していることから、便器洗浄時に蓄圧室内の水が便器内に供給されて蓄圧室内の圧力が低下すると、区画手段が付勢手段からの付勢力のために蓄圧室側に移動し、これにより、トラップ部の２次側の滞留空気が連通手段を介して吸気室内に吸引される。従って、トラップ部の２次側の圧力が低下し、サイホン現象が起こり易くなる。
【００１５】
この便器洗浄装置は、蓄圧タンク内のうち区画手段を隔てた蓄圧室と反対側の部分を吸気室として利用することにより、別途吸気装置を設置することが不要となる。
【００１６】
請求項２の便器洗浄装置にあっては、蓄圧室は、便器へ洗浄水を供給する給水管に逆止弁を介して接続されており、該逆止弁は、該給水管から該蓄圧室に向かってのみ水が流れることを許容するものであることから、給水時に流動抵抗によって給水管内の水圧が低下しても、蓄圧室内の水が給水管側に逆流することが防止される。
【００１７】
この便器洗浄装置の区画手段がダイヤフラムである場合（請求項３）、蓄圧タンク内を蓄圧室と吸気室とに確実に区画することができると共に、蓄圧タンク内をスムーズに移動することができる。
【００１８】
請求項５の便器装置にあっては、蓄圧室から蓄圧水放出用流路を介して便器のジェット孔及びリムの少なくとも一方に蓄圧水を供給することができる。
【００１９】
この蓄圧水放出用流路に蓄圧水放出弁が設けられている場合（請求項６）、非洗浄時にこの蓄圧水放出弁を閉弁することにより、蓄圧室内に蓄圧水が貯留される。この蓄圧水放出弁を開弁することにより、蓄圧水が蓄圧室から便器のジェット孔及びリムの少なくとも一方に供給される。
【００２０】
請求項７の便器装置にあっては、便鉢トラップ部の２次側の空気が連通手段を介して吸気室内に吸気されると、該２次側が負圧となり、該第２トラップ部によって排水管と該２次側とが隔絶される。このため、便鉢トラップ部２次側内に排水管から空気が逆流せず、該便鉢トラップ部２次側内の負圧が十分に高くなり、便鉢トラップ部に強力なサイホン流を速やかに形成することが可能となる。
【発明を実施するための最良の形態】
【００２１】
以下、図面を参照して本発明の実施の形態を説明する。第１図〜第３図は実施の形態に係る便器洗浄装置を備えた便器装置の縦断面図であり、第１図は非洗浄時の状態を示す縦断面図、第２図は給水管からの給水のみによって洗浄している状態を示す縦断面図、第３図は給水管及び蓄圧タンクからの給水によって洗浄している状態を示す縦断面図である。
【００２２】
陶器製の洋風便器本体１における便鉢２の上部内周にリム３が設けられている。便鉢２の下部の便鉢トラップ部４にサイホン排出流を誘起するための水（ジェット水）を噴出するジェットノズル８が設けられている。この便鉢トラップ部４は排水路５を介して第２トラップ部６と連通している。この排水路５は、該便鉢トラップ部４から斜め上方に立ち上る上昇部と、該上昇部に連なり、下方に立ち下がって第２トラップ部６と連なる立下部とからなる。
【００２３】
この第２トラップ部６は排水口７と連通している。この第２トラップ部６は、該排水路５の管壁下部の最低位部６ｂの下側を回り込み、次いで溢出用の最高位部を乗り越えて排水口７に到るＳ字状流路よりなる。この第２トラップ部６の該最高位部６ａの高さは、該最低位部６ｂよりも若干低くなっている。
【００２４】
便器本体１のリム３に対し、開閉弁Ｖ１を備えた給水管１０が接続されている。この給水管１０の開閉弁Ｖ１より上流側から、逆止弁Ｖ２を備えた流入管１１が分岐しており、この流入管１１は蓄圧タンク２０上部の流入ポートに接続されている。
【００２５】
なお、第１図〜第３図では、この蓄圧タンク２０が便器本体１０よりも上位に図示されているが、実際にはこの蓄圧タンクは便器本体１０の後部の側方に配置されている。ただし、蓄圧タンクの配置箇所はこれに限定されるものではない。
【００２６】
この蓄圧タンク２０の内部はタイヤフラム２３によって蓄圧室２１と吸気室２２とに区画されている。ダイヤフラム２３の中央部の吸気室２２側の面に、ダイヤフラム２３をバックアップする支体２４の上面が接着されている。
【００２７】
この支体２４は、上面が閉鎖され、下方に向って開放する有蓋無底の円筒形カップ状のものである。この支体２４と吸気室２２の底部との間に、支体２４を上方（蓄圧室２１側）に付勢する付勢手段としてのコイルバネ２５が設けられている。
【００２８】
この吸気室２２内が、連通手段としての連通配管３０を介して、排水路５の上部に連通されている。
【００２９】
蓄圧室２１の上部の流出用ポートに、開閉弁Ｖ３を備えた蓄圧水放出用流路３１の一端が接続されている。この蓄圧水放出用流路３１の他端はリム３に接続されていると共に、ジェット用流路３２を介してジェットノズル８に接続されている。
【００３０】
なお、開閉弁Ｖ１、Ｖ３はモータやソレノイド等によって駆動される電気駆動式のものであり、図示しない弁制御回路によって開閉動作する。この弁制御回路は、フラッシュスイッチや人体検知センサからの信号に基づいて開閉弁Ｖ１、Ｖ３へ所定のタイミングで開弁信号あるいは閉弁信号を出力する。
【００３１】
このように構成された便器洗浄装置を備えた便器装置の作動について次に説明する。
［蓄圧水貯留］
非洗浄時には、第１図の通り、開閉弁Ｖ１、Ｖ３は閉止されており、給水管１０から流入管１１及び逆止弁Ｖ２を介して蓄圧室２１内に水が徐々に流入し、蓄圧水が貯留される。この蓄圧水の静水圧は、給水管１０内の給水圧と同等である。なお、給水管１０の静水圧は、コイルバネ２５の付勢圧力よりも高いため、蓄圧室２１内へ給水管１０から水が徐々に流入すると支体２４は下方に徐々に移動し、最終的には第１図の通り、支体２４の下端が吸気室２２の底面に当接する。
【００３２】
［リム洗浄］
便器洗浄を開始する場合、第２図の通り、開閉弁Ｖ３は閉のままとしておき、先ず開閉弁Ｖ１を開弁させて、給水管１０からリム３に洗浄水を給水する。このリム洗浄により、便鉢２の内面が洗浄される。このとき、給水管１０内が通水状態となるため、給水管１０内の水圧は非洗浄時における給水管１０内の静水圧と比べて低下する。このため、給水管１０内の水圧は蓄圧室２１内の水圧より低くなるが、流入管１１に逆止弁Ｖ２が設けられているため、蓄圧室２１から給水管１０に水が逆流することが防止される。
【００３３】
［ジェット作動・汚水排出］
次いで、第３図の通り、開閉弁Ｖ１を開弁状態としたまま、開閉弁Ｖ３を開弁する。これにより、ダイヤフラム２３がコイルバネ２５によって押し上げられ、蓄圧室２１内の蓄圧水が蓄圧水放出用流路３１を介してリム３に供給されると共に、ジェット用流路３２を介してジェットノズル８に供給される。これにより、リム洗浄が十分に行なわれると共に、便鉢トラップ部４に強力なサイホン排出流が形成され、便鉢２内の汚物が排水管へ排出される。また、蓄圧室２１内の蓄圧水を放出すべくダイヤフラム２３が上昇した場合、吸気室２２内に負圧が発生し、排水路５内の空気が連通配管３０を介して吸気室２２内に吸い出され、便鉢トラップ部４の水が排水路５側へ吸引され、便鉢トラップ部４の排水路５へ向う流れが助勢される。この流れに対しジェットノズル８からの噴出水勢が加わることにより、便鉢トラップ部４に強力なサイホン流が形成される。
【００３４】
なお、この実施の形態では、排水路５内の空気が吸気室２２へ吸い出されたときに、第２トラップ部６の水面が上方に吸い上げられる。これにより、第２トラップ部６内のトラップ水が管壁最低位部６ｂに接触し、排水路５と排水管側とが隔絶され、排水管側から排水路５へ空気が流入することが防止される。このため、排水路５内の負圧が十分に強くなり、便鉢トラップ部４内の水が排水路５側へ向う流れが強化され、強力なサイホン排出流が確実に形成される。
【００３５】
［トラップ水貯留］
蓄圧室２１内の水のほぼ全量が放出される程度の時間が経過すると、開閉弁Ｖ３が閉弁される。便鉢２内の汚水がほぼ流出すると、便鉢トラップ部４におけるサイホンがブレークし、便鉢２の底部に徐々にトラップ水が貯留し始める。便鉢２内に所定量のトラップ水が溜まる時間が経過した後、開閉弁Ｖ１が閉弁される。
【００３６】
この開閉弁Ｖ１の閉弁に伴い、給水管１０内の水圧は静水圧にまで上昇し、給水管１０内から流入管１１及び逆止弁Ｖ２を介して徐々に水が蓄圧室２１内に流入し、最終的に第１図の通り、蓄圧室２１内に蓄圧水が満水状に貯留される。
【００３７】
この実施の形態に係る便器洗浄装置は、上記の通り、蓄圧タンク２０内のうちダイヤフラムを隔てた蓄圧室２１と反対側の部分を吸気室２２として利用することにより、別途吸気装置を設置することが不要となる。
【００３８】
第４図〜第７図は別の実施の形態に係る便器洗浄装置を備えた便器装置の縦断面図であり、第４図は非洗浄時の状態を示す縦断面図、第５図は給水管からの給水のみによって洗浄している状態を示す縦断面図、第６図は給水管及び蓄圧タンクからの給水によって洗浄している状態を示す縦断面図、第7図は洗浄後に蓄圧タンク内に蓄水している状態を示す縦断面図である。第８図は第４図の蓄圧タンクの拡大断面図である。
【００３９】
第８図の通り、蓄圧タンク２０Ａの底面に、空気が排水路５側から吸気室２２に向かってのみ流れることを許容し、逆方向の流れを阻止する逆止弁装置２６が設けられている。また、蓄圧タンク２０Ａの底面に、吸気室２２内の空気圧力が所定以上になると開弁するリリーフ弁装置２７が設けられている。これらの逆止弁装置２６及びリリーフ弁装置２７の下側を覆うようにケーシング２８が設けられており、このケーシング２８内と排水路５とが連通配管３０Ａを介して連通されている。
【００４０】
この逆止弁装置２６及びリリーフ弁装置２７の構造の詳細は、次の通りである。蓄圧タンク２０Ａの底面に開口２６ａ、２７ａが設けられている。開口２６ａの周縁から上方に向って環状の弁座２６ｂが突設されており、該弁座２６ｂに対し弁体２６ｃが上方から着座するように配置されている。なお、弁体２６ｃは円板部と、この円板部の中央から下方に向って突出する軸部とを有しており、該円板部が該弁座２６ｂに対し上方から接離し、軸部が開口２６ａ内に挿入されている。
【００４１】
開口２７ａの周縁から下方に向って、環状の弁座２７ｂが突設されており、弁体２７ｃが該弁座２７ｂに対し下側から着座可能とされている。この弁体２７ｃは、円板部と、この円板部の中方から上方に向って突出する軸部とを有しており、該円板部２７ｃが弁座２７ｂに対し下方から接離し、軸部が開口２７ａ内に挿入されている。この弁体２７ｃの円板部とケーシング２８の底面との間にコイルバネ２７ｄが設けられている。このコイルバネ２７ｄにより、弁体２７ｃは弁座２７ｂに押し付けられている。開口２６ａ、２７ａの上方には、弁体２６ｃが開口２６ａから離脱することを防止するための金網２９が設けられている。
【００４２】
本実施の形態に係る便器洗浄装置及び該便器洗浄装置を有する便器装置のその他の構成は第１図〜第３図と同一であり、同一符号は同一部分を示している。
【００４３】
このように構成された便器洗浄装置を備えた便器装置の作動について次に説明する。
［蓄圧水貯留］
非洗浄時には、第４図の通り、開閉弁Ｖ１、Ｖ３は閉止されており、給水管１０から流入管１１及び逆止弁Ｖ２を介して蓄圧室２１内に水が徐々に流入し、蓄圧水が貯留される。この蓄圧水の静水圧は、給水管１０内の給水圧と同等である。給水管１０の静水圧は、コイルバネ２５の付勢圧力よりも高いため、蓄圧室２１内へ給水管１０から水が徐々に流入すると支体２４は下方に徐々に移動し、最終的には第４図の通り、支体２４の下端が吸気室２２の底面に当接する。
【００４４】
このように支体２４が下方に徐々に移動すると、吸気室２２内の空気が加圧されて所定値以上となり、弁体２７ｃが弁座２７ｂから離座してリリーフ弁装置２７が開弁される。そして、吸気室２２内の空気はこのリリーフ弁装置２７及び連通配管３０Ａを通って排水路５に排気される。支体２４の下端が吸気室２２の底面に当接し、支体２４の移動が停止すると、第４図の通り、弁体２７ｃはコイルバネ２７ｄの付勢圧力によって弁座２７ｂに押し付けられ、リリーフ弁装置２７が閉弁する。
【００４５】
［リム洗浄］
便器洗浄を開始する場合、第５図の通り、開閉弁Ｖ３は閉のままとしておき、先ず開閉弁Ｖ１を開弁させて、給水管１０からリム３に洗浄水を給水する。このリム洗浄動作は、第１図〜第３図のリム洗浄と同じである。
【００４６】
［ジェット作動・汚水排出］
次いで、第６図の通り、開閉弁Ｖ１を開弁状態としたまま、開閉弁Ｖ３を開弁する。これにより、ダイヤフラム２３がコイルバネ２５によって押し上げられ、蓄圧室２１内の蓄圧水が蓄圧水放出用流路３１を介してリム３に供給されると共に、ジェット用流路３２を介してジェットノズル８に供給される。これにより、リム洗浄が十分に行なわれると共に、便鉢トラップ部４に強力なサイホン排出流が形成され、便鉢２内の汚物が排水管へ排出される。また、蓄圧室２１内の蓄圧水を放出すべくダイヤフラム２３が上昇した場合、吸気室２２内に負圧が発生し、弁体２６ｃが吸気室２２側に吸引されて逆止弁装置２６が開弁する。これにより、排水路５内の空気が連通配管３０及び逆止弁装置２６を介して吸気室２２内に吸引され、便鉢トラップ部４に強力なサイホン流が形成される。このジェット作動・汚水排出動作は、第１図〜第３図のジェット作動・汚水排出動作と同一である。
【００４７】
なお、この実施の形態でも、排水路５内の空気が吸気室２２へ吸い出されたときに、第２トラップ部６の水面が上方に吸い上げられ、第２トラップ部６内のトラップ水が管壁最低位部６ｂに接触し、排水路５と排水管側とが隔絶され、排水管側から排水路５へ空気が流入することが防止される。
【００４８】
［トラップ水貯留］
蓄圧室２１内の水のほぼ全量が放出される程度の時間が経過すると、開閉弁Ｖ３が閉弁される。便鉢２内の汚水がほぼ流出すると、便鉢トラップ部４におけるサイホンがブレークし、便鉢２の底部に徐々にトラップ水が貯留し始める。便鉢２内に所定量のトラップ水が溜まる時間が経過した後、第７図の通り、開閉弁Ｖ１が閉弁される。
【００４９】
第１図〜第３図の場合と同じく、この開閉弁Ｖ１の閉弁に伴い、給水管１０内の水圧は静水圧にまで上昇し、給水管１０内から流入管１１及び逆止弁Ｖ２を介して徐々に水が蓄圧室２１内に流入し、最終的に第４図の通り、蓄圧室２１内に蓄圧水が満水状に貯留される。
【００５０】
本実施の形態に係る便器洗浄装置にあっては、逆止弁装置２６とリリーフ弁装置２７とが並列に設けられている。このように逆止弁装置２６とリリーフ弁装置２７とを並列に設けると、蓄圧室２１と吸気室２２とを隔てるダイヤフラム２３に万一若干の破損が生じた場合に、蓄圧室２１から排水路５へ水が流出することが防止ないし抑制される。
【００５１】
上記実施の形態は本発明の一例であり、本発明は上記実施の形態に限定されるものではない。例えば、上記実施の形態において蓄圧室２１内の蓄圧水をリム３及びジェットノズル８のいずれか一方に供給するようにしてもよい。
【００５２】
また、逆止弁Ｖ２、開閉弁Ｖ３、蓄圧水放出用流路３１及びジェット用流路３２を省略し、前記特開平７−３００８９１号公報のように洗浄時に蓄圧室２１内の蓄圧水を流入管１１及び給水管１０を介して便器本体１に供給するようにしてもよい。
【図面の簡単な説明】
【００５３】
【図１】実施の形態に係る便器洗浄装置を備えた便器装置の非洗浄時の状態を示す縦断面図である。
【図２】実施の形態に係る便器洗浄装置を備えた便器装置の給水管からの給水のみによって洗浄している状態を示す縦断面図である。
【図３】実施の形態に係る便器洗浄装置を備えた便器装置の給水管及び蓄圧タンクからの給水によって洗浄している状態を示す縦断面図である。
【図４】別の実施の形態に係る便器洗浄装置を備えた便器装置の非洗浄時の状態を示す縦断面図である。
【図５】別の実施の形態に係る便器洗浄装置を備えた便器装置の給水管からの給水のみによって洗浄している状態を示す縦断面図である。
【図６】別の実施の形態に係る便器洗浄装置を備えた便器装置の給水管及び蓄圧タンクからの給水によって洗浄している状態を示す縦断面図である。
【図７】別の実施の形態に係る便器洗浄装置を備えた便器装置の洗浄後に蓄圧タンク内に蓄水している状態を示す縦断面図である。
【図８】図４の蓄圧タンクの拡大断面図である。
【符号の説明】
【００５４】
１  便器本体
２  便鉢
３  リム
４  便鉢トラップ部
５  排水路
６  第２トラップ部
７  排水口
８  ジェットノズル
１０  給水管
１１  流入管
２０，２０Ａ  蓄圧タンク
２１  蓄圧室
２２  吸気室
２３  ダイヤフラム
２４  弁体
２５  コイルバネ
２６  逆止弁装置
２７  リリーフ弁装置
３０，３０Ａ  連通配管
３１  蓄圧水放出用流路
３２  ジェット用流路
【図１】
2006070617.tif 000003
【図２】
2006070617.tif 000004
【図３】
2006070617.tif 000005
【図４】
2006070617.tif 000006
【図５】
2006070617.tif 000007
【図６】
2006070617.tif 000008
【図７】
2006070617.tif 000009
【図８】
2006070617.tif 000010